(57)【要約】【課題】冗長な動作時間を削減したＤＶＤ＋ＲＷレコーダを提供する。【解決手段】ＤＶＤレコーダ１０では、ＤＶＤ＋ＲＷディスクに記録再生を制御するシステムコントローラ２６を備えている。システムコントローラ２６は、記録済みのコンテンツデータに対する編集又は新たなコンテンツデータの記録を行った後は、ＤＶＤ＋ＲＷに記録されているメニューデータの再生を禁止する。メニューデータの再生の禁止は、少なくとも新たなメニューデータの記録があるまで行われる。さらに、ＤＶＤレコーダ１０では、ディスク排出時に、現在記録媒体に記録されているタイトル内容を反映したメニューデータを生成し、生成したメニューデータ及び管理データをディスクに記録する。【選択図】  図１
2004318923.tif 000002
【特許請求の範囲】
【請求項１】
コンテンツデータと、当該コンテンツデータを管理する管理データと、コンテンツデータの再生用のユーザインタフェース画面であるメニュー画面を動作させるためのメニューデータとを記録することを規定したフォーマットが採用された記録媒体が取り付け及び取り外し自在とされ、当該記録媒体が取り付けられた状態でデータの記録及び再生を行う記録再生装置において、
入力されたコンテンツデータを上記フォーマットに対応したデータストリームに符号化し、符号化したデータストリームを上記記録媒体に記録するとともに、上記記録媒体から上記フォーマットに対応したデータストリームを再生し、再生したデータストリームを復号してコンテンツデータを生成し、生成したコンテンツデータを出力する記録再生手段と、
上記記録再生手段を制御するとともに、上記記録媒体に対して上記管理データ及びメニューデータの記録再生をする制御手段とを備え、
上記制御手段は、
記録済みのコンテンツデータに対する編集又は新たなコンテンツデータの記録を行った後、新たなメニューデータの記録があるまで、上記記録媒体に記録されているメニューデータの再生を禁止し、
上記記録媒体の排出時、動作停止時又はユーザから指示があった時に、現在記録媒体に記録されているコンテンツデータの内容を反映したメニューデータを生成し、生成したメニューデータ及び管理データを上記記録媒体に記録することを特徴とする記録再生装置。
【請求項２】
上記制御手段は、
上記記録媒体に記録されたメニューデータに基づくメニュー画面とは異なる第２のメニュー画面を生成し、当該第２のメニュー画面に応じて入力された情報に基づき上記記録媒体に記録されているコンテンツデータを再生することを特徴とする請求項１記載の記録再生装置。
【請求項３】
コンテンツデータと、当該コンテンツデータを管理する管理データと、コンテンツデータの再生用のユーザインタフェース画面であるメニュー画面を動作させるためのメニューデータとを記録することを規定したフォーマットが採用されたリムーバブルな記録媒体に対して、データの記録及び再生を行う記録再生方法において、
記録済みのコンテンツデータに対する編集又は新たなコンテンツデータの記録を行った後、新たなメニューデータの記録があるまで、上記記録媒体に記録されているメニューデータの再生を禁止し、
上記記録媒体の排出時、動作停止時又はユーザから指示があった時に、現在記録媒体に記録されているコンテンツデータの内容を反映したメニューデータを生成し、生成したメニューデータ及び管理データを上記記録媒体に記録することを特徴とする記録再生方法。
【請求項４】
上記記録媒体に記録されたメニューデータに基づくメニュー画面とは異なる第２のメニュー画面を生成し、当該第２のメニュー画面に応じて入力された情報に基づき上記記録媒体に記録されているコンテンツデータを再生することを特徴とする請求項３記載の記録再生方法。
【発明の詳細な説明】
【０００１】
【発明の属する技術分野】
本発明は、例えばＤＶＤ等の記録媒体に対してデータを記録する記録再生装置及び方法に関する。
【０００２】
【従来の技術】
テレビジョン放送の録画や撮影画像を記録する装置として、ビデオテープレコーダに代わり、記録型ＤＶＤをメディアとして用いたＤＶＤレコーダが普及し始めている。記録型ＤＶＤは、直径１２ｃｍ、厚さ１．２ｍｍの片面で４．７Ｇバイトの容量の記録可能な光ディスクである。
【０００３】
記録型ＤＶＤには、追記型（一回のみ記録可能タイプ）と書き換え型（複数回の書き換え可能タイプ）を合わせて、ＤＶＤ−Ｒ、ＤＶＤ−ＲＷ、ＤＶＤ＋ＲＷ、ＤＶＤ＋Ｒ及びＤＶＤ−ＲＡＭの５つの種類のフォーマットが提案されている。これらのフォーマットは、ＤＶＤの民間規格団体である“ＤＶＤフォーラム”  （例えば非特許文献１を参照。）、並びに、ＤＶＤフォーラムとは異なる民間規格団体である“ＤＶＤ＋ＲＷアライアンス”  （例えば非特許文献２を参照。）から提案されている。
【０００４】
ＤＶＤ−Ｒ及びＤＶＤ＋Ｒは、１回だけしか書き込めない追記型の光ディスクである。ＤＶＤ−Ｒは、ＤＶＤフォーラムにより提案されたフォーマットに従った光ディスクであり、ＤＶＤ＋Ｒは、ＤＶＤ＋ＲＷアライアンスにより提案されたフォーマットに従った光ディスクである。
【０００５】
ＤＶＤ−ＲＷ及びＤＶＤ＋ＲＷは、“ＤＶＤフォーラム”により規定されている再生専用のＤＶＤ（ＤＶＤ−ＶＩＤＥＯ）とのフォーマットの互換性が取られた複数回の書き換えが可能な光ディスクである。ＤＶＤ−ＲＷ及びＤＶＤ＋ＲＷは、従来の再生専用のＤＶＤプレーヤでも、再生が可能である。ＤＶＤ−ＲＷは、ＤＶＤフォーラムにより提案されたフォーマットに従った光ディスクであり、ＤＶＤ＋ＲＷは、ＤＶＤ＋ＲＷアライアンスにより提案されたフォーマットに従った光ディスクである。
【０００６】
ＤＶＤ−ＲＡＭは、カートリッジに収納された形式の書き換え可能な光ディスクであり、ＤＶＤ−ＶＩＤＥＯとの互換性は低く、他のＤＶＤとは大幅に異なるフォーマットの光ディスクである。ＤＶＤ−ＲＡＭは、ＤＶＤフォーラムにより提案された光ディスクである。
【０００７】
また、ＤＶＤフォーラムにより提案されているＤＶＤ−ＶＩＤＥＯ規格では、データ単位として“タイトル”と呼ばれる単位が規定されている。本規格で規定された“タイトル”とは、例えば、映画の１作品や音楽アルバムの１作品等の１つのコンテンツの再生単位を示す概念である。ＤＶＤ−ＶＩＤＥＯ規格では、１つのＤＶＤディスクに対して９９個のタイトルまで記録することができるとしている。
【０００８】
【非特許文献１】
インターネット＜ＵＲＬ  ：ｈｔｔｐ：／／ｗｗｗ．ｄｖｄｆｏｒｕｍ．ｇｒ．ｊｐ／＞
【非特許文献２】
インターネット＜ＵＲＬ  ：ｈｔｔｐ：／／ｗｗｗ．ｄｖｄｒｗ．ｃｏｍ／＞
【０００９】
【発明が解決しようとする課題】
ところで、ＤＶＤ＋ＲＷでは、ＤＶＤ−ＶＩＤＥＯ規格と互換性を保ったフォーマットを採用している。ただし、ＤＶＤ＋ＲＷでは、ＤＶＤ−ＶＩＤＥＯ規格と互換性を保ったデータ構成とするために、ファイナライズと呼ばれる処理が行われる。ファイナライズとは、再生専用のＤＶＤプレーヤにより再生が可能となるように、コンテンツデータ以外の必要な管理データ及びファイルシステムをディスク上に記録する処理のことである。
【００１０】
ＤＶＤ＋ＲＷでは、タイトルの記録、タイトルの削除、タイトル名の変更等の記録や更新処理が発生した後には、必ずファイナライズ処理を行うことが規定されている。
【００１１】
さらに、このＤＶＤ＋ＲＷにおけるファイナライズ処理では、管理データのみならず、ＤＶＤ−ＶＩＤＥＯ規格で規定されているＶＭＧに記述されるタイトルメニューの更新も行われる。
【００１２】
しかしながら、タイトルメニューのビデオデータを生成し、さらにこのビデオデータを記録する作業は、非常に大変であり、処理時間が多く費やされてしまう。さらに、その処理を行っている間は、例えばユーザが録画ボタンを押したとしても、すぐに反応して録画を行うことができなくなる。そのため、例えば、２つのタイトルを連続してリアルタイム録画したい場合などは、前のタイトルの録画が終了した後にすぐに次のタイトルの録画を開始することができず、２つめのタイトルの先頭部分の録画ができない、という状況が発生していた。
【００１３】
本発明は、このような実情に鑑みて提案されたものであり、例えばＤＶＤ＋ＲＷのようなメニューデータを記録することを規定したフォーマットが採用された記録媒体に対してデータの記録を行う場合に、冗長な動作時間を削減した記録再生装置及び方法を提供することを目的とする。
【００１４】
【課題を解決するための手段】
本発明に係る記録再生装置は、コンテンツデータと、当該コンテンツデータを管理する管理データと、コンテンツデータの再生用のユーザインタフェース画面であるメニュー画面を動作させるためのメニューデータとを記録することを規定したフォーマットが採用された記録媒体が取り付け及び取り外し自在とされ、当該記録媒体が取り付けられた状態でデータの記録及び再生を行う記録再生装置であって、入力されたコンテンツデータを上記フォーマットに対応したデータストリームに符号化し、符号化したデータストリームを上記記録媒体に記録するとともに、上記記録媒体から上記フォーマットに対応したデータストリームを再生し、再生したデータストリームを復号してコンテンツデータを生成し、生成したコンテンツデータを出力する記録再生手段と、上記記録再生手段を制御するとともに、上記記録媒体に対して上記管理データ及びメニューデータの記録再生をする制御手段とを備え、上記制御手段は、記録済みのコンテンツデータに対する編集又は新たなコンテンツデータの記録を行った後、新たなメニューデータの記録があるまで、上記記録媒体に記録されているメニューデータの再生を禁止し、上記記録媒体の排出時、動作停止時又はユーザから指示があった時に、現在記録媒体に記録されているコンテンツデータの内容を反映したメニューデータを生成し、生成したメニューデータ及び管理データを上記記録媒体に記録する。
【００１５】
また、本発明に係る記録再生方法は、コンテンツデータと、当該コンテンツデータを管理する管理データと、コンテンツデータの再生用のユーザインタフェース画面であるメニュー画面を動作させるためのメニューデータとを記録することを規定したフォーマットが採用されたリムーバブルな記録媒体に対して、データの記録及び再生を行う記録再生方法であって、記録済みのコンテンツデータに対する編集又は新たなコンテンツデータの記録を行った後、新たなメニューデータの記録があるまで、上記記録媒体に記録されているメニューデータの再生を禁止し、上記記録媒体の排出時、動作停止時又はユーザから指示があった時に、現在記録媒体に記録されているコンテンツデータの内容を反映したメニューデータを生成し、生成したメニューデータ及び管理データを上記記録媒体に記録する。
【００１６】
以上の本発明に係る記録再生装置及び方法では、記録済みのコンテンツデータに対する編集又は新たなコンテンツデータの記録を行った後は、上記記録媒体に記録されているメニューデータの再生を禁止する。このメニューデータの再生の禁止は、少なくとも新たなメニューデータの記録があるまで行われる。さらに、本発明に係る記録再生装置及び方法では、上記記録媒体の排出時、動作停止時又はユーザから指示があった時に、現在記録媒体に記録されているコンテンツデータの内容を反映したメニューデータを生成し、生成したメニューデータ及び管理データを上記記録媒体に記録する。つまり、本発明に係る記録再生装置及び方法では、コンテンツデータの記録又は更新時に毎回のようにメニューデータ及び管理データの記録を行うのではなく、後からまとめてメニューデータ及び管理データの更新を行うのである。
【００１７】
【発明の実施の形態】
以下、本発明の実施の形態として本発明を適用したＤＶＤレコーダについて説明をする。
【００１８】
図１に、本発明の実施の形態のＤＶＤレコーダ１０のブロック構成図を示す。
【００１９】
本発明の実施の形態のＤＶＤレコーダ１０は、テレビジョン放送や録画テープから再生されたＡＶ信号（映像／音声信号）をＤＶＤディスクに記録し、また、ＤＶＤディスクからＡＶ信号を再生して出力する装置である。
【００２０】
ＤＶＤレコーダ１０では、ＤＶＤの民間規格団体である“ＤＶＤフォーラム”により提案されているＤＶＤ−ＶＩＤＥＯ，ＤＶＤ−Ｒ，ＤＶＤ−ＲＷ及びＤＶＤの民間規格団体である“ＤＶＤ＋ＲＷアライアンス”により提案されているＤＶＤ＋Ｒ及びＤＶＤ＋ＲＷに対する記録や再生が可能なマルチタイプのディスクレコーダである。以下、ＤＶＤレコーダ１０により記録再生が可能なこれらのＤＶＤディスクを総称する場合には、ＤＶＤディスク１と呼ぶものとする。
【００２１】
ＤＶＤレコーダ１０の内部構成について、図１を参照して説明する。
【００２２】
ＤＶＤレコーダ１０は、ビデオ入力端子（Ｖｉｎ）と、オーディオ入力端子（Ａｉｎ）と、ビデオ出力端子（Ｖｏｕｔ）と、オーディオ出力端子（Ａｏｕｔ）と、デジタルインタフェース端子（ＤＶｉｎ）と、ビデオＡ／Ｄコンバータ１１と、ビデオＤ／Ａコンバータ１２と、オーディオＡ／Ｄコンバータ１３と、オーディオＤ／Ａコンバータ１４とを備えている。
【００２３】
ビデオ入力端子（Ｖｉｎ）は、チューナ，セットトップボックスやビデオ信号再生装置等と映像ケーブルを介して接続される。ビデオ入力端子（Ｖｉｎ）には、これらの装置から、例えばＮＴＳＣやＰＡＬ等の所定の映像フォーマットの映像信号であるビデオ信号が入力される。なお、ビデオ入力端子（Ｖｉｎ）に入力されたビデオ信号は、ビデオＡ／Ｄコンバータ１１によってアナログ信号からデジタル信号に変換されて装置内に入力される。ビデオ出力端子（Ｖｏｕｔ）は、テレビジョンモニタやビデオ信号記録装置等と映像ケーブルを介して接続される。ビデオ出力端子（Ｖｏｕｔ）は、これらの装置に対して、例えばＮＴＳＣやＰＡＬ等の所定の映像フォーマットの映像信号であるビデオ信号を出力する。なお、ビデオ出力端子（Ｖｏｕｔ）から出力されるビデオ信号は、ビデオＤ／Ａコンバータ１２によってデジタル信号からアナログ信号に変換されて装置外に出力される。
【００２４】
オーディオ入力端子（Ａｉｎ）は、チューナ，セットトップボックスやオーディオ信号再生装置等とオーディオケーブルを介して接続される。オーディオ入力端子（Ａｉｎ）には、これらの装置から、例えば所定のフォーマットの音声音楽信号であるオーディオ信号が入力される。なお、オーディオ入力端子（Ａｉｎ）に入力されたオーディオ信号は、オーディオＡ／Ｄコンバータ１３によってアナログ信号からデジタル信号に変換されて装置内に入力される。オーディオ出力端子（Ａｏｕｔ）は、オーディオ装置やオーディオ信号記録装置等とオーディオケーブルを介して接続される。オーディオ出力端子（Ａｏｕｔ）は、これらの装置に対して、例えば所定のフォーマットの音声音楽信号であるオーディオ信号を出力する。なお、オーディオ出力端子（Ｖｏｕｔ）から出力されるオーディオ信号は、オーディオＤ／Ａコンバータ１４によってデジタル信号からアナログ信号に変換されて装置外に出力される。
【００２５】
デジタルインタフェース端子（ＤＶｉｎ）は、例えば、ＩＥＥＥ１３９４端子やＵＳＢ等のデジタルデータ伝送用のインタフェースケーブルを介して、ＡＶデータ（ビデオデータ及びオーディオデータ）をＤＶテープカセットから再生するＤＶプレーヤと接続される。デジタルインタフェース端子（ＤＶｉｎ）には、このＤＶプレーヤがＤＶテープカセットから再生したＤＶフォーマットのＡＶデータ（ＤＶデータ）が入力される。
【００２６】
また、ＤＶＤレコーダ１０は、ＮＴＳＣ／ＰＡＬデコーダ１５と、ＤＶデコーダ１６と、ＭＰＥＧエンコーダ１７と、ＭＰＥＧデコーダ１８と、グラフィック合成回路１９と、ＮＴＳＣ／ＰＡＬエンコーダ２０とを備えている。
【００２７】
ＮＴＳＣ／ＰＡＬデコーダ１５は、ビデオ入力端子（Ｖｉｎ）から入力され、ビデオＡ／Ｄコンバータ１１によりデジタル化されたＮＴＳＣ又はＰＡＬフォーマット等のビデオ信号を、ＩＴＵ−Ｒ  ＢＴ．６０１フォーマットのビデオ信号に変換する。
【００２８】
ＤＶデコーダ１６は、デジタルインタフェース端子（ＤＶｉｎ）から入力されたＤＶデータを、ＩＴＵ−Ｒ  ＢＴ．６０１フォーマットのビデオ信号及び所定のフォーマットのオーディオ信号に変換する。
【００２９】
ＭＰＥＧエンコーダ１７は、ＩＴＵ−Ｒ  ＢＴ．６０１フォーマットのビデオ信号、及び、オーディオＡ／Ｄコンバータ１３によりデジタル化された所定のフォーマットのオーディオ信号が入力され、これらをＭＰＥＧ−２方式で圧縮符号化してＭＰＥＧ−２方式のＡＶデータストリーム（ＭＰＥＧ−２ストリーム）を生成する。
【００３０】
ＭＰＥＧデコーダ１８は、ＭＰＥＧ−２ストリームが入力され、これを伸張復号して、ＩＴＵ−Ｒ  ＢＴ．６０１フォーマットのビデオ信号及び所定のフォーマットのオーディオ信号を生成する。
【００３１】
グラフィック合成回路１９は、ＩＴＵ−Ｒ  ＢＴ．６０１フォーマットのビデオ信号の表示画面上に、外部入力されたオンスクリーンディスプレイ画像（ＯＳＤ画像）を合成する処理を行う。
【００３２】
ＮＴＳＣ／ＰＡＬエンコーダ２０は、グラフィック合成回路１９から出力されたＩＴＵ−Ｒ  ＢＴ．６０１フォーマットのビデオ信号を、ＮＴＳＣ又はＰＡＬフォーマットのビデオ信号に変換し、ビデオ出力端子（Ｖｏｕｔ）から出力する。
【００３３】
また、ＤＶＤレコーダ１０は、ビデオ信号及びオーディオ信号の伝送経路を切り換えるスイッチング回路２１を備えている。
【００３４】
スイッチング回路２１は、記録時と再生時とで伝送経路を切り換え、さらに、記録時には、ＤＶデータとそれ以外の信号の入力時とで伝送経路を切り換える。
【００３５】
具体的には、スイッチング回路２１は次のように経路を切り換える。すなわち、ＤＶデータ以外の信号を記録する場合には、スイッチング回路２１は、ＮＴＳＣ／ＰＡＬデコーダ１５から出力されたビデオ信号をＭＰＥＧエンコーダ１７及びグラフィック合成回路１９に供給し、オーディオＡ／Ｄコンバータ１３から出力されたオーディオ信号をＭＰＥＧエンコーダ１７及びオーディオＤ／Ａコンバータ１４に供給するように伝送経路を切り換える。また、ＤＶデータを記録する場合には、スイッチング回路２１は、ＤＶデコーダ１６から出力されたビデオ信号をＭＰＥＧエンコーダ１７及びグラフィック合成回路１９に供給し、ＤＶデコーダ１６から出力されたオーディオ信号をＭＰＥＧエンコーダ１７及びオーディオＤ／Ａコンバータ１４に供給するように伝送経路を切り換える。また、再生をする場合には、スイッチング回路２１は、ＭＰＥＧデコーダ１８から出力されたビデオ信号をグラフィック合成回路１９に供給し、ＭＰＥＧデコーダ１８から出力されたオーディオ信号をオーディオＤ／Ａコンバータ１４に供給するように伝送経路を切り換える。
【００３６】
また、ＤＶＤレコーダ１０は、バッファ回路２２と、ドライブ装置２３とを備えている。
【００３７】
バッファ回路２２は、ＤＶＤディスク１に対して記録及び再生される、ＭＰＥＧ−２ストリーム及び制御データストリームを一時的に格納するメモリである。
ドライブ装置２３は、ＤＶＤディスク１が装着され、装着されているＤＶＤディスク１に対して物理的にアクセスを行いデータの記録及び再生を行う装置である。なお、制御データストリームとは、ＤＶＤディスク１のフォーマットに規定されているインフォメーション情報等が含まれているデータストリームである。
【００３８】
また、ＤＶＤレコーダ１０は、ＶＢＩスライス回路２４を備えている。
【００３９】
ＶＢＩスライス回路２４は、ビデオ信号のブランキング期間に含まれているインフォメーション情報（ＶＢＩ情報）を、ビデオ入力端子（Ｖｉｎ）から入力されたビデオ信号から検出する回路である。
【００４０】
また、ＤＶＤレコーダ１０は、入力装置２５と、システムコントローラ２６とを備えている。
【００４１】
入力装置２５は、例えば赤外線リモートコントローラ等の入力デバイスであり、ユーザによりＤＶＤレコーダ１０を操作するための情報入力が行われる装置である。入力装置２５から入力された情報は、システムコントローラ２６に供給される。
【００４２】
システムコントローラ２６は、上述した各回路に対する設定及び制御を行うマイクロコンピュータ等から構成される制御ブロックである。
【００４３】
システムコントローラ２６により行われる具体的な処理には、例えば次のようなものがある。
【００４４】
例えば、システムコントローラ２６は、制御データストリームをバッファ回路２２から読み出してその制御データに基づいたＤＶＤディスク１に対するアクセス制御、表示制御等を行う。システムコントローラ２６は、データの記録開始時や終了時に、記録する、又は、記録したデータに関する制御情報を生成し、その制御情報をフォーマットに従ったデータストリームとしてＤＶＤディスク１に記録する。システムコントローラ２６は、ＭＰＥＧ−２ストリームのヘッダ情報の生成及びヘッダ情報の解析を行う。
【００４５】
また、システムコントローラ２６は、例えばメニュー画面等のＯＳＤ画像を生成し、生成したＯＳＤ画像をグラフィック合成回路１９に供給して、当該ＯＳＤ画像をテレビジョンモニタ上に表示させる。さらに、システムコントローラ２６は、入力装置２５からの入力情報に従ってＯＳＤ画像を適宜更新し、変更したＯＳＤ画像をテレビジョンモニタ上に表示させる。システムコントローラ２６は、入力装置２５からの入力に従って各種の制御を行ったり、現在表示しているＯＳＤ画像と現在入力された入力情報とに基づき決定される所定の制御を行ったりする。
【００４６】
また、システムコントローラ２６は、入力されたビデオ信号から検出されたＶＢＩ情報がＶＢＩスライス回路２４から供給され、このＶＢＩ情報に示されている複数の情報のうち、必要な情報をＭＰＥＧエンコーダ１７に供給し、ＭＰＥＧ−２ストリームのヘッダ情報にエンコードさせる。システムコントローラ２６は、再生時には、ＭＰＥＧ−２ストリームのヘッダ情報から検出された情報のうち、必要な情報に基づきＶＢＩ情報を生成し、生成したＶＢＩ情報をＮＴＳＣ／ＰＡＬエンコーダ２０に供給して、出力するビデオ信号の所定のブランキング位置にエンコードさせる。
【００４７】
以上のような構成のＤＶＤレコーダ１０の記録時の動作は、次のようになる。
【００４８】
記録時には、ＤＶＤレコーダ１０には、ビデオ信号及びオーディオ信号が外部から入力される。入力されたビデオ信号は、ＮＴＳＣ／ＰＡＬデコーダ１５又はＤＶデコーダ１６によりＩＴＵ−Ｒ  ＢＴ．６０１フォーマットのビデオ信号に変換される。ＩＴＵ−Ｒ  ＢＴ．６０１フォーマットのビデオ信号は、スイッチング回路２１を介してＭＰＥＧエンコーダ１７に供給され、オーディオ信号とともにＭＰＥＧ−２ストリームに符号化される。バッファ回路２２は、ＭＰＥＧエンコーダ１７により符号化されたＭＰＥＧ−２ストリームを一時的に格納するとともに、システムコントローラ２６により生成された制御データストリームも一時的に格納する。そして、ＤＶＤレコーダ１０では、ドライブ装置２３が、ＤＶＤディスク１のフォーマットに従った順序でＭＰＥＧ−２ストリーム及び制御データストリームをバッファ回路２２から読み出し、読み出したデータをＤＶＤディスク１に記録していく。
【００４９】
また、さらに、ＤＶＤレコーダ１０では、記録中の映像及び音声をユーザがリアルタイムでＥＥモニタができるように次のような動作も行っている。
【００５０】
ＮＴＳＣ／ＰＡＬデコーダ１５又はＤＶデコーダ１６によりＩＴＵ−Ｒ  ＢＴ．６０１フォーマットに変換されたビデオ信号は、スイッチング回路２１を介して、グラフィック合成回路１９にも供給される。グラフィック合成回路１９に供給されたビデオ信号は、システムコントローラ２６によりＯＳＤ画像が出力されている場合にはＯＳＤ画像と合成され、ＯＳＤ画像が出力されていない場合にはそのままＮＴＳＣ／ＰＡＬエンコーダ２０に供給される。ＮＴＳＣ／ＰＡＬエンコーダ２０に供給されたＩＴＵ−Ｒ  ＢＴ．６０１フォーマットのビデオ信号は、ＮＴＳＣ又はＰＡＬフォーマットのビデオ信号に変換され、アナログ信号に変換されて外部に出力される。また、入力されたオーディオ信号は、スイッチング回路２１を介し、アナログ信号に変換された後に外部に出力される。
【００５１】
また、ＤＶＤレコーダ１０の再生時の動作は、次のようになる。
【００５２】
再生時には、ドライブ装置２３は、ＤＶＤディスク１からＭＰＥＧ−２ストリーム及び制御データストリームを読み出して、バッファ回路２２に格納する。バッファ回路２２に格納されているＭＰＥＧ−２ストリームは、ＭＰＥＧデコーダ１８により読み出され、制御データストリームはシステムコントローラ２６により読み出される。読み出されたＭＰＥＧ−２ストリームは、ＭＰＥＧデコーダ１８によりＩＴＵ−Ｒ  ＢＴ．６０１フォーマットのビデオ信号及びオーディオ信号に復号される。復号されたオーディオ信号は、スイッチング回路２１を介してアナログ信号に変換された後に外部に出力される。復号されたＩＴＵ−Ｒ  ＢＴ．６０１フォーマットのビデオ信号は、スイッチング回路２１を介して、グラフィック合成回路１９に供給される。グラフィック合成回路１９に供給されたビデオ信号は、システムコントローラ２６によりＯＳＤ画像が出力されている場合にはＯＳＤ画像と合成され、ＯＳＤ画像が出力されていない場合にはそのままＮＴＳＣ／ＰＡＬエンコーダ２０に供給される。ＮＴＳＣ／ＰＡＬエンコーダ２０に供給されたＩＴＵ−Ｒ  ＢＴ．６０１フォーマットのビデオ信号は、ＮＴＳＣ又はＰＡＬフォーマットのビデオ信号に変換され、アナログ信号に変換されたのちに外部に出力される。また、システムコントローラ２６は、読み出した制御データストリームに従い、例えばディスクの読み出し位置の制御や各種の表示制御等を行う。
【００５３】
つぎに、ＤＶＤレコーダ１０の記録再生対象となっているＤＶＤ＋ＲＷディスクのフォーマットについて説明をする。
【００５４】
図２に、ＤＶＤ＋ＲＷディスク上にコンテンツデータを記録した場合の各ファイル等の記録位置を示す。
【００５５】
ＤＶＤ＋ＲＷディスクの記録領域３０には、図２に示すように、内周側から、第１のＦＳエリア３１と、ＶＲＭＩエリア３２と、ＶＭＧエリア３３と、ＶＴＳエリア３４と、第２のＦ０Ｓエリア３５とが形成されている。
【００５６】
第１のＦＳエリア３１及び第２のＦＳエリア３５には、ＵＤＦ（ユニバーサルディスクフォーマット）ファイルシステム４１が記録される。ＵＤＦファイルシステム４１は、当該記録領域内に記録されている全ファイルの管理を行うための情報であり、各ファイルの開始位置及びサイズ、ファイル名、記録日時等の情報が記述されている。第１のＦＳエリア３１はディスクの最内周に形成されており、第２のＦＳエリア３５は外周側に形成されている。
【００５７】
ＶＲＭＩエリア３２（３２−１，３２−２）は、第１のＦＳエリア３１の外周側（３２−１）、及び、第２のＦＳエリア３５の内周側（３２−２）に形成されている。ＶＲＭＩエリア３２には、ＤＶＤ−ＶＩＤＥＯ規格で規定されているファイルではない、ＤＶＤ＋ＲＷディスクで独自に定められているＶＲＭＩ．ＩＦＯファイル４２及びそのバックアップファイルであるＶＲＭＩ．ＢＵＰファイル５４が記録される。ＶＲＭＩ．ＩＦＯファイル４２及びＶＲＭＩ．ＢＵＰファイル５４には、タイトル等に関する管理情報が記録されている。具体的には、ＶＴＳエリア３４に記録されている各タイトルの実体データの位置、各タイトルの記録日時、タイトルのタイトル名、ディスク名等が記述されている。
【００５８】
ＶＭＧエリア３３は、ＶＲＭＩエリア３２−１の外周側に形成されている。ＶＭＧエリア３３には、ＤＶＤ−ＶＩＤＥＯ規格で規定されているＶＭＧ（Ｖｉｄｅｏ  Ｍａｎａｇｅｒ）が記録される。ＶＭＧは、ＶＴＳエリア３４に記録されている各ＶＴＳの記録アドレス、ＶＴＳ数等の情報、及び、タイトルを再生するためのユーザインタフェース画面であるメニュー画面を表示及び制御させるためのメニューデータ（ＭＰＥＧ−２データストリーム及び制御データ）が記録されている。
【００５９】
ＶＭＧは、具体的には、ＶＭＧＩ．ＩＦＯファイル４３、ＶＭＧＭ＿ＶＯＢＳファイル４４、ＶＭＧＩ．ＢＵＰファイル４５で構成されている。ＶＭＧＭ＿ＶＯＢＳファイル４４には、メニューデータの実体データ（ＭＰＥＧデータストリーム等）が記述されている。ＶＭＧＩ．ＩＦＯファイル４３は、メニューデータを再生するとともにメニュー画面を制御するための管理データが記述されている。ＶＭＧＩ．ＢＵＰファイル４５は、ＶＭＧＩ．ＩＦＯファイル４３のバックアップファイルである。
【００６０】
ＶＴＳエリア３４は、ＶＭＧエリア３３の外周側に形成されている。ＶＴＳエリア３２には、ＤＶＤ−ＶＩＤＥＯ規格で規定されている１〜３個のＶＴＳ（Ｖｉｄｅｏ  Ｔｉｔｌｅ  Ｓｅｔ）が記録される。ＤＶＤ＋ＲＷディスクの場合、ＶＴＳは、管理データファイルと実体データファイルとから構成されるファイルセットである。なお、ＤＶＤ＋ＲＷディスクでは、ＶＴＳエリア３４内に、各タイトルのビデオ属性により１〜３個のＶＴＳが形成される。例えば、全てのタイトルでビデオの属性が同じならば、ＶＴＳが１個形成され、３種類の異なるビデオ属性からなるタイトルが１つのディスクに混在する場合にはＶＴＳは３個となる。
【００６１】
各ＶＴＳは、図３及び図４に示すように、ＶＴＳＩ＃ｎ．ＩＦＯファイル５１−ｎと、ＶＴＳＴＴ＿ＶＯＢＳ＃ｎファイル５２−ｎと、ＶＴＳＩ＃ｎ．ＢＵＰ５３−ｎとの３つのファイルから構成されている。ここで“ｎ”は、ＶＴＳ番号を示した１から３までの整数である。ＶＴＳＩ＃ｎ．ＩＦＯファイル５１−ｎは、そのＶＴＳの管理情報が含まれたファイルである。ＶＴＳＩ＃ｎ．ＢＵＰファイル５３−ｎは、ＶＴＳＩ＃ｎ．ＩＦＯファイル５１−ｎのバックアップファイルである。ＶＴＳＴＴ＿ＶＯＢＳ＃ｎファイル５２−ｎは、ＶＴＳの実体データ、すなわち、ＭＰＥＧ−２データストリームが含まれたファイルである。
【００６２】
なお、ＤＶＤ＋ＲＷディスクでは、図３及び図４に示すように、ＶＴＳＩ＃１．ＩＦＯファイル５１−１〜ＶＴＳＩ＃３．ＩＦＯファイル５１−３の各ファイルは、ＶＴＳエリア３４の先頭部分に記録される。また、ＶＴＳＴＴ＿ＶＯＢＳ＃１ファイルは、ＶＴＳエリア３４内の所定の固定のアドレスから記録が開始される。
【００６３】
さらに、ＶＴＳエリア３４の後ろには、ＶＲＭＩ．ＩＦＯファイル４２のバックアップファイルであるＶＲＭＩ．ＢＵＰファイル５４が記録される。
【００６４】
つぎに、上述のようなフォーマットのＤＶＤ＋ＲＷディスクが装着されてから、排出されるまでのＤＶＤレコーダ１０の処理について、図５〜図７を参照して説明をする。
【００６５】
なお、図５（Ａ）は、ＤＶＤ＋ＲＷディスクが装着された後、コンテンツデータに対する記録及び編集がされる前のＤＶＤ＋ＲＷの記録情報を示す図である。図５（Ｂ）は、ＤＶＤ＋ＲＷディスクが装着された後、コンテンツデータに対する記録及び編集がされる前のシステムコントローラ２６が有する内部メモリの格納情報を示す図である。また、図６（Ａ）は、コンテンツデータに対する記録及び編集がされた後のＤＶＤ＋ＲＷの記録情報を示す図である。図６（Ｂ）は、コンテンツデータに対する記録及び編集がされた後のシステムコントローラ２６が有する内部メモリの格納情報を示す図である。また、図７（Ａ）は、ディスク排出時のＤＶＤ＋ＲＷの記録情報を示す図である。図７（Ｂ）は、ディスク排出時のシステムコントローラ２６が有する内部メモリの格納情報を示す図である。
【００６６】
まず、システムコントローラ２６は、ＤＶＤ＋ＲＷディスクが装着されると、図５（Ａ）に示すような当該ＤＶＤ＋ＲＷディスクに記録されているコンテンツデータに関する各管理データを読み出して、内部メモリに格納する。具体的には、システムコントローラ２６は、管理データとして、図５（Ｂ）に示すように、ＶＲＭＩ．ＩＦＯファイル４２、ＶＭＧＩ．ＩＦＯファイル４３、並びに、ＶＴＳｓ．ＩＦＯファイル群５１（ＶＴＳＩ＃１．ＩＦＯファイル５１−１〜ＶＴＳＩ＃３．ＩＦＯファイル５１−３）を読み出して、内部メモリに格納する。
【００６７】
システムコントローラ２６は、管理データの更新やコンテンツデータの記録及び更新があるまでは、読み出した管理データに基づきＤＶＤ＋ＲＷディスクの再生制御を行う。
【００６８】
続いて、システムコントローラ２６は、管理データの更新やコンテンツデータの記録及び更新が発生すると、つまり、新たなタイトルの追加記録、記録済みのタイトルの削除、タイトル名の変更等の処理が発生すると、図６（Ｂ）に示すように、その処理に合わせて内部メモリに格納している各管理データ（ＶＲＭＩ．ＩＦＯファイル４２、ＶＭＧＩ．ＩＦＯファイル４３、並びに、ＶＴＳｓ．ＩＦＯファイル群５１）の更新を行う。
【００６９】
この際、システムコントローラ２６は、図６（Ａ）に示すように、ディスク上の各管理データ（ＶＲＭＩ．ＩＦＯファイル４２、ＶＭＧＩ．ＩＦＯファイル４３、並びに、ＶＴＳｓ．ＩＦＯファイル群５１）の更新は行わない。また、管理データのバックアップファイル（ＶＭＧＩ．ＢＵＰファイル４５、ＶＴＳｓ．ＢＵＰファイル群５３及びＶＲＭＩ．ＢＵＰファイル５４）の記録を行わない。さらに、メニュー画面の実体データが記録されているディスク上のＶＭＧＭ＿ＶＯＢＳファイル４４の更新も行わない。
【００７０】
もっとも、ディスク上のＶＭＧＭ＿ＶＯＢＳファイル４４の更新を行わない場合、内部メモリに保持されているＶＭＧＩ．ＩＦＯファイル４３との整合性が保たれていない状態となる。そのため、以後、システムコントローラ２６は、ＶＭＧＭ＿ＶＯＢＳファイル４４の再生を行わないように制御を行う。すなわち、以後、例えば、ユーザがタイトルメニューの表示制御を行った場合や、タイトル再生の終了に伴い自動的にタイトルメニューが表示されるような場合であっても、メニュー画面を表示しないように制御を行う。例えば、内部メモリのＶＭＧＩ．ＩＦＯファイル４３内にある  “ＶＭＧＭ＿ＰＧＣ＃１のＥｎｔｒｙ  ＰＧＣ  ｆｏｒ  Ｔｉｔｌｅ  Ｍｅｎｕ”という記述子の内容を、元のタイトル再生に戻るという意味のコマンドであるＬｉｎｋＳｉｎｓ｛ＲＳＭ｝と書き換えたり、すぐさま再生を停止するという意味のコマンドであるＥｘｉｔ等に書き換えたりする。
【００７１】
また、このようにＶＭＧＭ＿ＶＯＢＳファイル４４を再生しない場合、ユーザが画面操作を用いたタイトルの選択再生を行うことができなくなる。そのため、システムコントローラ２６は、内部メモリに格納しているＶＲＭＩ．ＩＦＯファイル４２等を参照して、別途ＯＳＤ画像により再生メニュー画面を作成し、表示を行う。
【００７２】
続いて、システムコントローラ２６は、ディスクの排出制御を行う際、その排出直前に、図７（Ａ）に示すように、まず、メニューデータであるＶＭＧＭ＿ＶＯＢＳ４４を書き込み、続いて、内部メモリ内に格納されている各管理データの内容を、ディスク上のＶＲＭＩ．ＩＦＯファイル４２、ＶＭＧＩ．ＩＦＯファイル４３、ＶＴＳｓ．ＩＦＯファイル群５１、ＶＴＳｓ．ＢＵＰファイル５３及びＶＲＭＩ．ＢＵＰファイル５４に書き込む。なお、この際に、ＶＭＧＩ．ＩＦＯファイルの記述子をメニュー表示しないように書きかえた場合には、その修正も行う。さらに、システムコントローラ２６は、メニューデータの生成を行い、新たに生成したメニューデータに対応したＶＭＧＭ＿ＶＯＢＳファイル４４をディスクに書き込む。
【００７３】
そして、これらのファイルの書き込みが終了すると、図７（Ｂ）に示すように、内部メモリの内容を消去して、ディスクの排出を行う。
【００７４】
以上のようにＤＶＤレコーダ１０では、ＤＶＤ＋ＲＷディスクの排出時に、現在記録されているタイトルの内容を反映したメニューデータを生成し、生成したメニューデータ及び管理データをＤＶＤ＋ＲＷディスクに記録する。
このためＤＶＤレコーダ１０では、コンテンツデータの記録終了や更新終了時にメニューデータ及び管理データの記録が行われないため、ユーザからの操作入力にすぐに反応できないといったような、冗長な動作時間を削減することができる。従って、ＤＶＤレコーダ１０では、コンテンツデータの連続記録を行う場合などに次の記録をすぐに行うことができる。
【００７５】
なお、本実施の形態では、ＤＶＤ＋ＲＷに対してコンテンツの記録した場合について説明をしたが、本発明をＤＶＤ−ＲＷに対して適用することも可能である。また、ディスクに対する管理データの書き込みは、ディスク排出時としているが、例えば、電源オフやスリープ時、ユーザによる書き込み指令時等に行うようにしてもよい。
【００７６】
また、以上の実施の形態では、メニューデータのみならず、全ての管理データをディスク排出時に記録することとしているが、一部の管理データ（例えば、ＶＴＳＩ．ＩＦＯファイル群５１やＶＲＭＩ．ＩＦＯファイル４２等）は、タイトルの記録終了時にディスクに書き込むようにしてもよい。
【００７７】
【発明の効果】
本発明に係る記録再生装置及び方法では、上記記録媒体の排出時、動作停止時又はユーザから指示があった時に、現在記録媒体に記録されているコンテンツデータの内容を反映したメニューデータを生成し、生成したメニューデータ及び管理データを上記記録媒体に記録する。
【００７８】
このため本発明に係る記録再生装置及び方法では、コンテンツデータの記録終了や更新終了時にメニューデータ及び管理データの記録が行われないため、ユーザからの操作入力にすぐに反応できないといったような、冗長な動作時間を削減することができる。従って、本発明では、コンテンツデータの連続記録を行う場合などに次の記録をすぐに行うことができる。
【図面の簡単な説明】
【図１】本発明の実施の形態のＤＶＤレコーダのブロック構成図である。
【図２】ＤＶＤ＋ＲＷディスクのフォーマットについて説明をするための図である。
【図３】ＤＶＤ＋ＲＷディスクのＶＴＳエリアのフォーマットについて説明をするための図である。
【図４】ＤＶＤ＋ＲＷディスクにおける実体データの書き込み開始位置について説明をするための図である。
【図５】ディスクが装着された後、コンテンツデータに対する記録及び編集がされる前のＤＶＤ＋ＲＷディスクに記録されているファイル、並びに、内部メモリ内のファイルを示す図である。
【図６】コンテンツデータに対する記録及び編集がされた後のＤＶＤ＋ＲＷディスクに記録されているファイル、並びに、内部メモリ内のファイルを示す図である。
【図７】ディスク排出時のＤＶＤ＋ＲＷディスクに記録されているファイル、並びに、内部メモリ内のファイルを示す図である。
【符号の説明】
１  ＤＶＤディスク、１０  ＤＶＤレコーダ、１５  ＮＴＳＣ／ＰＡＬデコーダ、１６  ＤＶデコーダ、１７  ＭＰＥＧエンコーダ、１８  ＭＰＥＧデコーダ、１９  グラフィック合成回路、２０  ＮＴＳＣ／ＰＡＬエンコーダ、２１  スイッチング回路、２２  バッファ回路、２３  ドライブ回路、２４  ＶＢＩスライス回路、２５  入力装置、２６  システムコントローラ
【図１】
2004318923.tif 000003
【図２】
2004318923.tif 000004
【図３】
2004318923.tif 000005
【図４】
2004318923.tif 000006
【図５】
2004318923.tif 000007
【図６】
2004318923.tif 000008
【図７】
2004318923.tif 000009